(57)【要約】【課題】電子時計の保存状態において、電池の消耗を抑えること。【解決手段】竜頭を１段引き操作すると、巻真１０１が１段引き操作され、計時動作により制御信号を出力する制御回路に運針停止信号が入力され、制御回路が運針停止モードに入り、指針回転駆動用モータへの制御信号を停止する。竜頭を２段引き操作すると、巻真１０１が２段引き操作されて、レバー１０２が導電パターン１１０から離れる。これにより、指針回転駆動用モータへの制御信号を停止するとともに、電池１０７から制御回路への電力供給も遮断される。【選択図】　　図１
2004053457.tif 000002
【特許請求の範囲】
【請求項１】
操作部材と、計時動作を行って計時した時間に対応する制御信号を出力する制御回路と、前記制御信号に応答して指針を回転駆動するモータと、前記制御回路及びモータに駆動電力を供給する電池とを有する電子時計において、
前記操作部材が第１の位置のときに閉状態となって，前記制御回路に運針停止信号を入力し、制御回路が運針停止モードに入り、制御信号を停止する第１のスイッチと、
前記操作部材が前記第２の位置のときに開状態となって前記電池から前記制御回路への電力供給を遮断する第２のスイッチとを備えて成ることを特徴とする電子時計。
【請求項２】
前記操作部材の操作に連動して移動する巻真を備え、前記第１、第２のスイッチは前記巻真の動きによって閉状態から開状態又は開状態から閉状態に切り替えられることを特徴とする請求項１記載の電子時計。
【請求項３】
前記操作部材の操作に連動して移動する巻真を備え、前記第１、第２のスイッチの少なくとも一方は前記巻真によって構成されて成ることを特徴とする請求項１記載の電子時計。
【請求項４】
前記操作部材は、竜頭によって構成されて成ることを特徴とする請求項１乃至３のいずれか一に記載の電子時計。
【発明の詳細な説明】
【０００１】
【発明の属する技術分野】
本発明は、電源に電池を使用する電子時計に関する。
【０００２】
【従来の技術】
従来から、デジタル表示式又はアナログ表示式の電子腕時計をはじめとして、壁掛け型電子時計、卓上型電子時計等の電池駆動型の電子時計が利用されている。
前記電子腕時計は、電池の消耗を防ぐために、竜頭の引き出し操作を行うことによって巻真を２段引くと、運針停止モードに入り、前記制御回路から指針駆動用モータへの制御信号を停止するように構成している。
これにより、時計を使用しない状態では、モータでの電力消費を防止することが可能になり、電池の消耗を抑えることが可能になる。
【０００３】
【発明が解決しようとする課題】
しかしながら、前記運針停止モードにおいて、指針駆動用モータへの制御信号を停止しても、計時動作等を行う制御回路の電源はオン状態であり，さらに制御回路の入力端子には通常プルダウン抵抗がついており、プルダウン電流が流れるため、長期間保存する場合には電池の電力を消費してしまうという問題がある。
【０００４】
本発明は、電子時計の保存状態において、電池の消耗を抑えることを課題としている。
【０００５】
【課題を解決するための手段】
本発明によれば、外部操作可能な操作部材と、計時動作を行って計時した時間に対応する制御信号を出力する制御回路と、前記制御信号に応答して指針を回転駆動するモータと、前記制御回路及びモータに駆動電力を供給する電池とを有する電子時計において、前記操作部材が第１の位置のときに閉状態となって，前記制御回路に運針停止信号を入力し、制御回路が運針停止モードに入り、前記モータへの制御信号を停止する第１のスイッチと、前記操作部材が前記第２の位置のときに開状態となって前記電池から前記制御回路への電力供給を遮断する第２のスイッチとを備えて成ることを特徴とする電子時計が提供される。第１のスイッチは、操作部材が第１の位置のときに、前記制御回路が運針停止モードに入り、前記モータへの制御信号を停止する。第２のスイッチは、前記操作部材が前記第２の位置のときに開状態となって前記電池から制御回路への電力供給を遮断する。
【０００６】
ここで、前記操作部材の操作に連動して移動する巻真を備え、前記第１、第２のスイッチは前記巻真の動きによって閉状態から開状態に切り替えられるように構成してもよい。
また、前記操作部材の操作に連動して移動する巻真を備え、前記第１、第２のスイッチの少なくとも一方は前記巻真によって構成してもよい。
また、前記操作部材は、竜頭によって構成してもよい。
【０００７】
【発明の実施の形態】
図１は、本発明の実施の形態に係る電子時計の内部構成を示す正面図である。図１において、電子時計は、外部操作可能な竜頭（操作部材）と、計時動作を行って計時した時間に対応する制御信号を出力する制御回路（ムーブメント１０６に含まれる。）と、前記制御信号に応答して指針を回転駆動するモータ（ムーブメント１０６に含まれる。）と、前記制御回路及びモータに駆動電力を供給する電池１０７とを有している。
【０００８】
図１において、１０１は竜頭（図示せず）に接続された導電性の巻真、１０２は導電性のレバー、１０６はムーブメント、１０７は電池、１０８はプラス電極端子、１０９はマイナス電極端子である。
レバー１０２は、導電性部材によって形成されると共に、回転軸１０３に回転可能に軸支されている。レバー１０２の一端部１０４は巻真１０４に係合している。竜頭が最も押し込まれた通常状態では、巻真１０１がレバー１０２の一端部１０４をムーブメント１０６側に押し込んだ状態にあり、この状態では、レバー１０２の他端部１０５が正の導電パターン１１０に接触した状態にある。
【０００９】
図２は、図１に示した電子時計の回路図であり、図１と同一部分については同一符号を付している。
図２において、電池１０７と、レバー１０２によって構成されるスイッチ３０４とは直列接続され、制御回路が含まれる集積回路（ＩＣ）３０１のプラス電源およびマイナス電源に接続されている。また、巻真１０１によって構成されるスイッチ３０３の一端は、電池１０７のプラス電極と前記スイッチ１０４を介して、前記集積回路（ＩＣ）３０１に接続されており、もう一端は前記集積回路（ＩＣ）３０１の制御端子に接続されている。時針や分針等の指針を回転駆動するためのモータ３０２は、制御回路が含まれる集積回路（ＩＣ）３０１により制御される。
尚、スイッチ３０３及びスイッチ３０４の少なくとも一方を巻真で構成するようにしてもよく又、スイッチ３０３及びスイッチ３０４の少なくとも一方を巻真の動きに連動して開閉するスイッチで構成するようにしてもよい。
【００１０】
以下、図１及び図２を用いて、本実施の形態に係る電子時計について詳細に説明する。
操作部材としての竜頭を１段引き操作することによって、巻真１０１を１段引き操作すると、スイッチ３０３が開状態から閉状態になり、運針停止信号が、制御回路が含まれる集積回路（ＩＣ）３０１に入力され、前記集積回路（ＩＣ）３０１が運針停止モードに入り、モータ３０２への制御信号を停止する。これにより、時刻合わせが可能になる。
この状態から、竜頭を更に１段引き（合計で２段引き）操作することによって、巻真１０１を更に１段引き（合計で２段引き）操作すると、スイッチ３０４が閉状態から開状態になり、集積回路３０１への電力供給が停止する。
これにより、モータ３０２のみならず制御回路への電力供給が停止する。
【００１１】
以上のように、本実施の形態に係る電子時計は、外部操作可能な竜頭と、計時動作を行って計時した時間に対応する制御信号を出力する制御回路と、前記制御信号に応答して指針を回転駆動するモータ３０２と、前記制御回路及びモータ３０２に駆動電力を供給する電池１０７とを有する電子時計において、前記竜頭が第１の位置のときに閉状態となって、前記制御回路に運針停止信号が入力され、運針停止モードに入り、モータ３０２への制御信号を停止する第１のスイッチ３０３と、前記竜頭が前記第２の位置のときに開状態となって電池１０７から前記制御回路への電力供給を遮断する第２のスイッチ３０４とを備えて成ることを特徴としている。
【００１２】
また、竜頭の操作に連動して移動する巻真１０１を備え、第１、第２のスイッチ３０３、３０４は巻真１０１の動きによって閉状態から開状態、または開状態から閉状態に切り替えられることを特徴としている。
したがって、電子時計を商品として遠隔地へ搬送する場合や、使用者が電子時計を長期間保存するときに、電池消耗を完全に防ぐことが可能になる。特に、容量の小さい電池の場合に効果が大きい。
また、竜頭の操作に連動して移動する巻真１０１を備え、第１、第２のスイッチ３０３、３０４の少なくとも一方は、巻真１０１によって構成して成ることを特徴としている。したがって、構成が簡単になるという効果がある。
【００１３】
尚、本実施の形態では、カレンダ機能のないアナログ電子時計の例で説明したため、巻真の１段引きでモータ３０２への制御信号を停止し、巻真の２段引きでモータ３０２及び制御回路３０１への電力供給を遮断するように構成したが、カレンダ機能を有するアナログ電子時計の場合には、巻真の１段引きでカレンダを修正し、巻真の２段引きでモータ３０２への制御信号を停止し、巻真の３段引きでモータ３０２及び制御回路３０１への電力供給を遮断するように構成してもよい。
【００１４】
また、本実施の形態では、巻真１０１をプラス電位に接続した構成としたため、巻真１０１を引くことによってレバー１０２がプラス端子から離れるようにしたが、巻真１０１をプラス電位に接続しない構成の場合には、レバー１０２が制御回路３０１を電池１０７から切り離すように構成してもよい。
また、本実施の形態では、電池１０７の例としてボタン電池の例で説明したが、他の形状の電池にも適用可能である。
【００１５】
【発明の効果】
本発明によれば、電子時計の保存状態において、電池の消耗を抑えることが可能になる。
【図面の簡単な説明】
【図１】本発明の実施の形態に係る電子時計の内部構成を示す正面図である。
【図２】本発明の実施の形態に係る電子時計の回路図である。
【符号の説明】
１０１・・・第１のスイッチとしての巻真
１０２・・・第２のスイッチとしてのレバー
１０３・・・回転軸
１０４・・・一端部
１０５・・・他端部
１０６・・・ムーブメント
１０７・・・電池
１０８・・・プラス電極端子
１０９・・・マイナス電極端子
１１０・・・導電パターン
３０１・・・制御回路
３０２・・・モータ
３０３、３０４・・・スイッチ
【図１】
2004053457.tif 000003
【図２】
2004053457.tif 000004